(57)【要約】【課題】送受信特性のバラツキが抑えられ、伝送特性の安定化を図るとともに、製造工程を削減すること。【解決手段】アンテナ２は、粘着材層２３上に配設されたアンテナ回路２１と、該アンテナ回路に形成したアンテナ接続部２２とを有し、筐体は、前記アンテナ回路と接続する筐体接続部を形成した接続対象物と、前記アンテナを載置する載置部１７とを有し、前記アンテナ接続部が前記筐体接続部に接触しており、前記アンテナが前記載置部に貼り付けられて、前記アンテナと前記接続対象物とが電気的に接続しかつ前記アンテナが前記筐体に機械的に保持されている。【選択図】　　　図１
2004040324.tif 000002
【特許請求の範囲】
【請求項１】
アンテナと、該アンテナを接続する筐体とを含むアンテナ接続構造において、前記アンテナは、粘着材層と、該粘着材層上に配設したアンテナ回路とを有し、該アンテナ回路はアンテナ接続部を有し、前記筐体は、接続対象物と、前記アンテナを載置する載置部とを有し、前記接続対象物は前記アンテナ接続部に接続する筐体接続部を有し、前記アンテナが前記載置部に貼り付けられて前記筐体に機械的に保持されており、前記筐体接続部と前記アンテナ接続部とが電気的に接続されていることを特徴とするアンテナ接続構造。
【請求項２】
請求項１記載のアンテナ接続構造において、前記アンテナは絶縁基材を有し、該絶縁基材上に前記粘着材層が配設されていることを特徴とするアンテナ接続構造。
【請求項３】
請求項１記載のアンテナ接続構造において、前記載置部は、平板状の支持部と、該支持部の一端側から前記支持部の板面を交叉する一方向へ延びている短絡支持部と、前記支持部の一辺から前記短絡支持部と同じ方向へ延びている給電支持部とを有し、前記接続対象物には、前記短絡支持部に対向するように形成したグランドパターンが位置しており、前記給電支持部上に前記アンテナ接続部が設けられて前記筐体接続部に接続されており、前記アンテナ回路が前記グランドパターンに接続していることを特徴とするアンテナ接続構造。
【発明の詳細な説明】
【０００１】
【発明の属する技術分野】
本発明は、機器の筐体とアンテナとを接続するアンテナ接続構造に属する。
【０００２】
【従来の技術】
図１１は、先行技術としてのラジオや携帯用の無線通信機器に内蔵される筐体とアンテナとの接続構造を示している。図１２は、図１１に示したアンテナを示している。
【０００３】
図１１及び図１２を参照して、筐体１１１内には、各種の制御素子１１３や高周波入出力素子１１４が実装された基板１１２が格納されている。高周波入出力素子１１４は、基板１１２に形成されている信号伝送用パターン１１５に接続されている。信号伝送用パターン１１５の一方端部には、アンテナ１３０と接続するための接続用パッド１１６が設けられている。
【０００４】
アンテナ１３０は、アンテナパターン１３１と、このアンテナパターン１３１を一面に設けた非導電性の基台１３３とを有している。アンテナパターン１３１の一側端には、接続用パッド１３２が形成されている。
【０００５】
アンテナ１３０は、独立したモジュール部品として、基板１１２とともに筐体１１１内の載置部１７１に搭載される。このとき、基板１１２上の信号伝送用パターン１１５の接続用パッド１１６とアンテナ１３０の接続用パッド１３２とは、リード線１１７を介して接続するので半田付けの工程が必要である。
【０００６】
なお、その他のアンテナの構成としては、基板にパターンを設けたプリント基板アンテナ、プラスチックメッキ処理によりパターンを設けたアンテナ、樹脂モールドと板金パターンとを組み付けたアンテナなどが使用されている。
【０００７】
この種の技術としたは、特開平１０−２４１７６５号公報に、電気回路接続用接着シートおよびびその製造方法が開示されている。
【０００８】
【発明が解決しようとする課題】
しかしながら、基板１１２上の信号伝送用パターン１１５の接続用パッド１１６とアンテナ１３０の接続用パッド１３２とは、リード線１１７を介して半田によって接続するので、この際、半田付けの工程が必要となり、リード線１１７の形状や位置、半田フィレット形状が製品毎にばらつくため、当然、送受信における伝送特性もばらつくという影響を受ける問題がある。
【０００９】
また、アンテナ１３０と筐体１１１内のアンテナ搭載台１７１とを固定するために、ネジ止めなどの工程が必要となり、製造工程が複雑になるという問題がある。
【００１０】
それ故に本発明の課題は、半田付け工程を経ることなく、アンテナパターンと基板パターンを接続でき、送受信における伝送特性のばらつきを抑えることによって伝送特性の安定化も図ることができ、同時にアンテナと筐体との固定も完了するため、アンテナと回路基板との接続、筐体への固定工程が大幅に簡略化され、製造工程の大幅な削減効果も得られるアンテナ接続構造を提供することにある。
【００１１】
また、アンテナも単なる平面アンテナのみならず、アンテナパターンを筐体内に設けた３次元構造物に貼り付け固定することによって立体アンテナを形成することもできるアンテナ接続構造を提供することにある。
【００１２】
【課題を解決するための手段】
本発明によれば、アンテナと、該アンテナを接続する筐体とを含むアンテナ接続構造において、前記アンテナは、粘着材層と、該粘着材層上に配設したアンテナ回路とを有し、該アンテナ回路はアンテナ接続部を有し、前記筐体は、接続対象物と、前記アンテナを載置する載置部とを有し、前記接続対象物は前記アンテナ接続部に接続する筐体接続部を有し、前記アンテナが前記載置部に貼り付けられて前記筐体に機械的に保持されており、前記筐体接続部と前記アンテナ接続部とが電気的に接続されていることを特徴とするアンテナ接続構造が得られる。
【００１３】
【作用】
本発明のアンテナ接続構造では、粘着材層上にアンテナ回路を貼り付ける。アンテナ回路は、転写、スパッタリングなどの方法によって製作される。アンテナのアンテナ接続部と接続対象物の筐体接続部とは、粘着材層を接続対象物に貼り付けることで接触・導通させる。アンテナは、筐体の内部に設けた載置部へ貼り付けることで固定する。また、アンテナは、筐体内に設けた３次元構造物である載置部に貼り付けることで、立体アンテナを形成することができる。
【００１４】
【発明の実施の形態】
以下、本発明に係る筐体とアンテナ部材とを接続する平面アンテナ接続構造を説明する。図１は、筐体と、筐体に接続するアンテナとを備えているアンテナ接続構造の第１実施の形態例を示している。図２は、図１に示した筐体からアンテナを分解した状態を示している。なお、図１及び図２に示したアンテナ接続構成は、無線機器に搭載した例を示している。
【００１５】
図１及び図２を参照して、第１実施の形態例におけるアンテナ接続構造は、筐体１と、この筐体１に接続するプリントアンテナのようなアンテナ２とを有している。
【００１６】
筐体１は、底板部１１ａと、この底板部１１ａを囲むように底板部１１ａに接続している側壁部１１ｂとによって構成されており、底板部１１ａの上方が開放されている。筐体１の内部には、底板部１１ａ上にアンテナ２と接続する基板（接続対象物）１２が格納されている。
【００１７】
基板１２の表面には、各種の制御素子１３や、高周波入出力素子１４が実装されている。高周波入出力素子１４は、基板１２の表面に形成されている信号伝送用パターン１５に接続されている。信号伝送用パターン１５の一方端には、アンテナ２と接続するための接続用パッド（筐体接続部）１６が形成されている。基板１２に同じ平面で隣り合う筐体１の内部には、アンテナ２を載置する載置部１７が設けられている。
【００１８】
アンテナ２は、図３乃至５に示すように、アンテナパターン（アンテナ回路）２１と、粘着シート（粘着材層）２３と、絶縁シート（絶縁基材）２４とによって構成されている。なお、図３乃至５に示したアンテナ２は、図１及び図２に示したアンテナ２を裏返した態様を示している。アンテナ２は、図３乃至図５にも示すように、絶縁シート２４上に粘着シート２３が配設され、アンテナパターン２１が粘着シート２３上に配設されている。
【００１９】
図６は、アンテナ２を載置部１７の表面に貼りつけた際の断面を接続用パッド１６部分で示している。アンテナパターン２１は、一方端に接続用パッド（アンテナ接続部）２２を有している。図６にも示すように、アンテナパターン２１の接続用パッド２２は、基板１２の接続用パッド１６に接触している。アンテナ２は、粘着シート２３が露出している部分が載置部１７に貼り付けられている。したがって、アンテナ２と基板１２とは、これらが電気的に接続しているとともに、アンテナ２が筐体１に機械的に保持されている。
【００２０】
このように、基板１２の接続用パッド１６とアンテナ２の接続用パッド２２は、互いに重なり合い、粘着シート２３による基板１６への粘着力によって物理的に接触し、かつ電気的に接続される。したがって、基板１２の接続用パッド１６とアンテナ２の接続用パッド２２との間には、余計な介在物がないため、製品毎の送受信特性のバラツキが抑えられる。
【００２１】
さらに具体的に説明すると、アンテナ２は、絶縁シート２４としてポリイミドシートを採用し、この絶縁シート２４の表面に粘着シート２３を貼り合わせた後、粘着シート２３の表面にアンテナ回路として蛇行形状に形成したアンテナパターン２１を粘着させることによって得られる。
【００２２】
アンテナパターン２１は、薄い導体板を打ち抜き、エッチングにより製作して貼り付けるか、もしくは、スパッタリングなどにより粘着シート２３上に直接形成する。あるいはアンテナパターン２１は、転写の要領で粘着シート２３上に形成する。
【００２３】
上述したように、アンテナ２は、アンテナパターン２１の接続用パッド２２と基板１２の接続用パッド１６とが重なり、かつ載置部１７にアンテナパターン２１が重なるように位置決めし、基板１２、載置部１７の表面に貼り付けられる。このようにして、アンテナ２と信号伝送用パターン１５との電気的な接続と筐体１へのアンテナ２の固定が同時に達成される。
【００２４】
さらに、アンテナ２は、第１実施の形態例によって説明した平面形状のアンテナのみならず、アンテナパターンを筐体内に設けた３次元構造物に貼り付け固定することによって立体アンテナを形成することもできる。
【００２５】
図７は、いわゆる逆Ｆ型アンテナと称される立体的に配置されたアンテナ接続構造を採用した第２実施の形態例を示している。図８は、図７に示したアンテナを示している。
【００２６】
図７及び図８を参照して、第２実施の形態例におけるアンテナ接続構造は、図１に示した筐体１と同様な筐体に接続するアンテナ４０を有している。
【００２７】
アンテナ４０は、アンテナパターン（アンテナ回路）４１と、粘着シート（粘着材層）４２とによって構成されている。なお、アンテナ４０は、アンテナパターン４１と、粘着シート４２と、図４に示した絶縁シート（絶縁基材）２４とによって構成されているものであってもよい。なお、図８に示したアンテナ４０は、図７に示したアンテナ２を裏返した状態で示している。
【００２８】
このアンテナ４０では、粘着シート４２上にアンテナパターン４１が配設されている。アンテナパターン４１の周囲は、粘着シート４２が露出している部分となっている。アンテナパターン４１は、長手方向の一辺から粘着シート４２の外へ延在している給電パターン部（アンテナ接続部）４３を有している。粘着シート２３は、長手方向の一辺から粘着シート４２の外へ延在し、給電パターン４３を貼り付けている給電パターン粘着部４４を有している。給電パターン部４３の周囲は、給電パターン粘着部４４が露出している部分となっている。
【００２９】
さらに具体的に説明すると、アンテナ４０は、粘着シート４２上にアンテナパターン４１を粘着させることによって得られる。アンテナパターン４１は、薄い導体板を打ち抜き、エッチングにより製作して貼り付けるか、もしくは、スパッタリングなどにより粘着シート４２上に直接形成する。あるいはアンテナパターン４１は、転写の要領で粘着シート４２上に形成する。
【００３０】
基板（接続対象物）３２の表面には、図１及び図２に示した各種の制御素子１３や、高周波入出力素子１４と同じ素子が実装されている。高周波入出力素子１４は、基板３２の表面に形成されている信号伝送用パターン５７に接続されている。信号伝送用パターン５７の一方端には、アンテナ４０と接続するための接続用パッド（筐体接続部）５５が形成されている。
【００３１】
図１に示した筐体１と同様な筐体の内部には、図９にも示すように、３次元構造物としてのアンテナ４０を載置するためのコア部分となる載置部５０が基板３２上に立体として設けられている。載置部５０は、絶縁樹脂材によって作られている。載置部５０は、平板状の支持部５１と、この支持部５１の長手方向の一端側で支持部５１の板面を交叉する一方向へ延びている短絡支持部５２と、支持部５１の長手方向における一辺の中間部分から短絡支持部５２と同じ方向へ延びている給電支持部５３とを有している。
【００３２】
この実施の形態例における短絡支持部５２は、支持部５１の板面に対して直角となる方向へ延びている。基板３２の表面には、短絡支持部５２の先端に対向するように、基板３２に形成したグランドパターン５４が位置している。給電支持部５３の側方には基板３２に形成した接続用パッド５５が位置している。
【００３３】
アンテナパターン４１の一方側は、短絡支持部５２へ延びて短絡支持部５２の表面に貼り付けられており、アンテナパターン４１の一方端部がグランドパターン５４に電気的に接続されている。給電パターン４３は、接続用パッド５５にそれぞれ電気的に接続されるとともに、機械的に固定される。
【００３４】
アンテナ４０は、載置部５０の表面に貼り付けられている。したがって、アンテナ４０と基板３２とは、これらが電気的に接続しかつアンテナ４０が筐体１に機械的に保持されている。
【００３５】
基板３２の接続用パッド５５とアンテナ４０の給電パターン４３とは、粘着シート４２の基板３２への粘着力により物理的に接触、電気的に接続される。接続用パッド５５とアンテナ４０の給電パターン４３との間には、余計な介在物がないため、製品毎の送受信特性のバラツキが抑えられる。
【００３６】
上述したように、アンテナ４０は、給電パターン４３と基板３２の接続用パッド５４とは重なり合うように対向させて接触させ、載置部５０にアンテナパターン４１が重なるように位置決めされて基板３２上、及び載置部５０上に貼り付けられる。このようにして、アンテナ４０と接続用パッド５５との電気的な接続と筐体１へのアンテナ４０の固定が同時に達成される。
【００３７】
図１０は、第２実施の形態例によって説明したアンテナ接続構造の概略構成を示している。図１０によって明らかなように、支持部５１の一端は開放されており、支持部５１のもう一方の一端は短絡支持部５２によってグランドパターン５４に接続されて接地されている。そして、高周波電力を高周波源６４より給電パターン４３と接続用パッド５５の接続点である給電点６３へ供給することによって、高周波電力が放射される。
【００３８】
【発明の効果】
以上説明したように、本発明によれば、基板の接続用パッドとアンテナの接続パッドとが、粘着シートによる基板への粘着力によって物理的に接触、電気的に接続され、両接続パッド間には余計な介在物がないため、製品毎の送受信特性のバラツキを抑えることができる。
【００３９】
また、アンテナパターンの接続用パッドと基板の接続用パッドは、半田付け工程を経ることなく接続することができるので、送受信の伝送特性のばらつきを抑えることができ、さらに伝送特性の安定化を図ることができる。
【００４０】
また、同時にアンテナと筐体との固定も粘着による貼り付けによって完了するため、アンテナと基板との接続、筐体への固定工程が大幅に簡略化でき、製造工程を大幅に削減することができる。
【００４１】
さらに、アンテナは単なる平面アンテナのみならず、アンテナパターンを筐体内に設けた３次元構造物に貼り付け固定することによって立体アンテナを構成することもできる。
【図面の簡単な説明】
【図１】本発明に係るアンテナ接続構造の第１実施の形態例を示す斜視図である。
【図２】図１に示した筐体からアンテナを分解した状態を示した斜視図である。
【図３】図１に示したアンテナを裏返した状態で示す斜視図である。
【図４】図３に示したアンテナの分解斜視図である。
【図５】図３のＶ−Ｖ線断面図である。
【図６】図１のＶＩ−ＶＩ線断面図である。
【図７】本発明に係るアンテナ接続構造の第２実施の形態例を示す斜視図である。
【図８】図７に示したアンテナを示す斜視図である。
【図９】図７に示したアンテナ接続構造からアンテナを除いた態様を示す斜視図である。
【図１０】図７におけるアンテナ接続構造の概略構成図である。
【図１１】先行技術としての筐体とアンテナとの構成例を示す斜視図である。
【図１２】図１１に示したアンテナの一例を示す斜視図である。
【符号の説明】
１　　筐体
２，４０　　アンテナ
１２，３２　　基板（接続対象物）
１５，５７　　信号伝送用パターン
１６，５５　　接続用パッド（筐体接続部）
１７　　載置部
２１，４１　　アンテナパターン（アンテナ回路）
２２　　接続用パッド（アンテナ接続部）
２３，４２　　粘着シート（粘着材層）
２４　　絶縁シート（絶縁基材）
４３　　給電パターン部（アンテナ接続部）
４４　　給電パターン粘着部
５０　　載置部（アンテナコア）
５１　　支持部
５２　　短絡支持部
５３　　給電支持部
６３　　給電点
６４　　高周波源
【図１】
2004040324.tif 000003
【図２】
2004040324.tif 000004
【図３】
2004040324.tif 000005
【図４】
2004040324.tif 000006
【図５】
2004040324.tif 000007
【図６】
2004040324.tif 000008
【図７】
2004040324.tif 000009
【図８】
2004040324.tif 000010
【図９】
2004040324.tif 000011
【図１０】
2004040324.tif 000012
【図１１】
2004040324.tif 000013
【図１２】
2004040324.tif 000014